(57)【要約】  遮光構造を配備することで検知装置（９）と発光ダイオード（３１）を隔離させ、遮光構造は係合されるか、或いは覆設される構造であり、分離される集光レンズ（５）及び電球ケース本体（１）にそれぞれ組み合わされて遮光手段を形成させ、発光ダイオード（３１）が発生させる光が照射、屈折、ないしは反射された後に検知装置（９）に干渉するのを防止する。前記構造により、組み立てが容易になり、組み立てにかかるコストを削減することができる。【選択図】図４
2014517486.tif 000002
【特許請求の範囲】
【請求項１】
電球ケース本体、透明マスク、発光ダイオードモジュール、及び検知装置を備える遮光構造を有する発光ダイオード電球であって、前記検知装置を納置させる遮光構造を更に含み、前記遮光構造は前記発光ダイオードモジュールが発生させる光が前記検知装置に対して干渉しないように隔離させることを特徴とする、遮光構造を有する発光ダイオード電球。
【請求項２】
前記遮光構造は中空チェンバーにより前記検知装置を納置させる遮光筒体を備え、前記検知装置は前記遮光筒体の第１端に隣接することを特徴とする、請求項１に記載の遮光構造を有する発光ダイオード電球。
【請求項３】
前記遮光筒体の前記第１端は前記透明マスクまで延伸されるか、前記透明マスクの孔部を通過させて前記透明マスク上に突出されるか前記透明マスクに水平になり、前記遮光筒体の第２端は前記電球ケース本体に固定され、前記中空チェンバーについては、前記発光ダイオードモジュールが前記遮光筒体の外囲に位置されると共に前記遮光筒体の前記第２端に隣接することを特徴とする、請求項２に記載の遮光構造を有する発光ダイオード電球。
【請求項４】
前記遮光構造は反射層を更に備え、前記中空チェンバーについては、前記反射層が前記遮光筒体の外表面に固定されると共に前記発光ダイオードモジュールに対向することを特徴とする、請求項２に記載の遮光構造を有する発光ダイオード電球。
【請求項５】
集光レンズを更に備え、前記遮光筒体の前記第１端の外側或いは内側に覆設され、前記第１端は前記透明マスクまで延伸されるか、前記透明マスクの孔部を通過させて前記透明マスク上に突出されるか前記透明マスクに水平になり、前記遮光筒体の第２端は前記電球ケース本体に固定され、前記中空チェンバーについては、前記発光ダイオードモジュールが前記遮光筒体の外囲に位置されると共に前記遮光筒体の前記第２端に隣接することを特徴とする、請求項２に記載の遮光構造を有する発光ダイオード電球。
【請求項６】
前記遮光構造は遮光筒体及び中空部と定義される遮蔽部を有する光遮断部材を備え、前記光遮断部材は前記遮光筒体に設置されると共に前記遮光筒体の第１端に隣接され、前記検知装置は前記中空部に納置され、前記遮光筒体の第２端は前記電球ケース本体に固定されることを特徴とする、請求項１に記載の遮光構造を有する発光ダイオード電球。
【請求項７】
前記光遮断部材は、前記発光ダイオードモジュールが前記遮光筒体の外囲に位置されると共に前記遮光筒体の前記第２端に隣接され、前記遮蔽部は前記発光ダイオードモジュールに向け傾斜し、前記中空部の前記透明マスクに隣接する上端の幅は下端の幅よりも広いことを特徴とする、請求項６に記載の遮光構造を有する発光ダイオード電球。
【請求項８】
前記遮光筒体の前記第１端は前記透明マスクまで延伸されるか、前記透明マスクの孔部を通過させて前記透明マスク上に突出されるか前記透明マスクに水平になり、前記光遮断部材については、前記発光ダイオードモジュールが前記遮光筒体の外囲に位置されると共に前記遮光筒体の前記第２端に隣接することを特徴とする、請求項６に記載の遮光構造を有する発光ダイオード電球。
【請求項９】
前記遮光筒体の前記第１端に固定される集光レンズを更に備え、前記第１端は前記透明マスクまで延伸されるか、前記透明マスクの孔部を通過させて前記透明マスク上に突出されるか前記透明マスクに水平になり、前記光遮断部材は、前記発光ダイオードモジュールが前記遮光筒体の外囲に位置されると共に前記遮光筒体の前記第２端に隣接することを特徴とする、請求項６に記載の遮光構造を有する発光ダイオード電球。
【請求項１０】
前記検知装置は赤外線検知装置、マイクロウェーブ検知装置、及び光線検知装置の内の何れか１つないしは２つ以上を含むことを特徴とする、請求項１に記載の遮光構造を有する発光ダイオード電球。
【請求項１１】
前記電球ケースは本体放熱装置及び口金部を備え、前記発光ダイオードモジュールは前記放熱装置の第１端に設置され、前記遮光構造は前記放熱装置の前記第１端に係合されるか、前記放熱装置の中間ケ−スの第１端に収容され、前記口金部は前記放熱装置の第２端に設置されるか、前記中間ケ−スの第２端に固定されることを特徴とする、請求項１に記載の遮光構造を有する発光ダイオード電球。
【請求項１２】
前記発光ダイオードモジュールは複数の発光ダイオードを設置させる回路基板を備え、前記回路基板は前記遮光構造を包囲させることを特徴とする、請求項１に記載の遮光構造を有する発光ダイオード電球。
【請求項１３】
前記遮光構造に隣接する前記回路基板は前記遮光構造から離れる前記回路基板に突出されることを特徴とする、請求項１２に記載の遮光構造を有する発光ダイオード電球。
【請求項１４】
電球ケース本体、透明マスク、発光ダイオードモジュール、及び検知装置を備える遮光構造を有する発光ダイオード電球であって、前記検知装置を納置させる遮光構造を更に含み、前記検知装置は前記遮光構造の第１端に隣接され、前記発光ダイオードモジュールは前記遮光構造の第２端に隣接され、前記遮光構造は前記発光ダイオードモジュールが発生させる光が前記検知装置に対して干渉しないように隔離させることを特徴とする、遮光構造を有する発光ダイオード電球。
【請求項１５】
前記遮光構造は中空チェンバーにより前記検知装置の遮光筒体を納置させることを特徴とする、請求項１４に記載の遮光構造を有する発光ダイオード電球。
【請求項１６】
前記第１端及び前記第２端は段差の関係を呈し、前記第１端は前記透明マスクまで延伸されるか、前記透明マスクの孔部を通過させて前記透明マスク上に突出されるか前記透明マスクに水平になり、前記第２端は前記電球ケース本体上に固定され、前記中空チェンバーについては、前記発光ダイオードモジュールが前記遮光筒体の外囲に位置されることを特徴とする、請求項１５に記載の遮光構造を有する発光ダイオード電球。
【請求項１７】
反射層を更に備え、前記中空チェンバーについては、前記反射層が前記遮光筒体の外表面を被覆させると共に前記発光ダイオードモジュールに対向することを特徴とする、請求項１５に記載の遮光構造を有する発光ダイオード電球。
【請求項１８】
前記第１端の外表面或いは内表面に覆設される集光レンズを更に備え、前記第１端は前記透明マスクまで延伸されるか、前記透明マスクの孔部を通過させて前記透明マスク上に突出されるか前記透明マスクに水平になり、前記第２端は前記電球ケース本体上に固定され、前記中空チェンバーについては、前記発光ダイオードモジュールが前記遮光筒体の外囲に位置されることを特徴とする、請求項１５に記載の遮光構造を有する発光ダイオード電球。
【請求項１９】
前記遮光構造は遮光筒体及び中空部と定義される遮蔽部を有する光遮断部材を備え、前記光遮断部材は前記遮光筒体中に設置されると共に前記第１端に隣接され、前記検知装置は前記中空部に納置され、前記第２端は前記電球ケース本体上に固定されることを特徴とする、請求項１４に記載の遮光構造を有する発光ダイオード電球。
【請求項２０】
前記光遮断部材は、前記発光ダイオードモジュールが前記遮光筒体の外囲に位置され、前記遮蔽部は前記発光ダイオードモジュールに向け傾斜され、前記中空部の前記透明マスクに隣接する上端の幅は下端の幅より広いことを特徴とする、請求項１９に記載の遮光構造を有する発光ダイオード電球。
【請求項２１】
前記第１端は前記透明マスクまで延伸されるか、前記透明マスクの孔部を通過させて前記透明マスク上に突出されるか前記透明マスクに水平になり、前記光遮断部材については、前記発光ダイオードモジュールが前記遮光筒体の外囲に位置されることを特徴とする、請求項１９に記載の遮光構造を有する発光ダイオード電球。
【請求項２２】
前記第１端の外側に固定される集光レンズを更に備え、前記第１端は前記透明マスクまで延伸されるか、前記透明マスクの孔部を通過させて前記透明マスク上に突出され、前記光遮断部材は、前記発光ダイオードモジュールが前記遮光筒体の外囲に位置されることを特徴とする、請求項１９に記載の遮光構造を有する発光ダイオード電球。
【請求項２３】
前記検知装置は赤外線検知装置、マイクロウェーブ検知装置、及び光線検知装置の内の何れか１つないしは２つ以上を含むことを特徴とする、請求項１４に記載の遮光構造を有する発光ダイオード電球。
【請求項２４】
前記電球ケース本体は放熱装置及び口金部を備え、前記発光ダイオードモジュールは前記放熱装置の第１端に設置され、前記遮光構造は前記放熱装置の前記第１端に係合されるか、前記放熱装置の中間ケ−スの第１端に固定され、前記口金部は前記放熱装置の第２端に設置されるか、前記中間ケ−スの第２端に固定されることを特徴とする、請求項１４に記載の遮光構造を有する発光ダイオード電球。
【請求項２５】
前記発光ダイオードモジュールは複数の発光ダイオードを設置させる回路基板を備え、前記回路基板は前記遮光構造を包囲させることを特徴とする、請求項１４に記載の遮光構造を有する発光ダイオード電球。
【請求項２６】
前記遮光構造に隣接する前記回路基板は前記遮光構造から離れる前記回路基板に突出されることを特徴とする、請求項２５に記載の遮光構造を有する発光ダイオード電球。
【請求項２７】
中間ケ−スからなり、少なくとも一部分の前記中間ケ−スはそれの第１端から露出される電球ケース本体と、
前記電球ケース本体上に設置されると共に前記電球ケース本体の前記第１端に隣接される発光ダイオードモジュールと、
集光レンズと、
検知装置と、
前記電球ケース本体上に設置され、中空チェンバーは前記検知装置を納置させる遮光構造を備え、
前記遮光構造の第１端は前記集光レンズと組み合わされて第１遮光手段を構成させ、前記発光ダイオードモジュールが発生させる光がそれの前記第１端からそれに進入し前記検知装置に対し干渉しないように隔離させ、それの第２端は前記中間ケ−スと組み合わされて第２遮光手段を構成させ、前記発光ダイオードモジュールが発生させる光がそれの前記第２端からそれに進入し前記検知装置に干渉しないように隔離させる中空チェンバーを有することを特徴とする、遮光構造を有する発光ダイオード電球。
【請求項２８】
透明マスクを更に備え、前記電球ケース本体上に設置され、前記遮光構造の前記第１端は前記透明マスクまで延伸されるか、前記透明マスクの孔部を通過させて前記透明マスク上に突出されるか、前記透明マスクに水平になり前記第１遮光手段を提供することを特徴とする、請求項２７に記載の遮光構造を有する発光ダイオード電球。
【請求項２９】
前記遮光構造は前記中空チェンバーを提供する遮光筒体であり、前記集光レンズは前記遮光筒体の前記第１端の内表面または外表面に覆設されるか、或いは係合されて前記第１遮光手段を構成させ、前記遮光筒体の前記第２端は前記中間ケ−スに係合されて前記第２遮光手段を構成させ、前記検知装置は前記遮光筒体の前記第１端に隣接され、前記発光ダイオードモジュールは前記遮光筒体の前記第２端に隣接されることを特徴とする、請求項２８に記載の遮光構造を有する発光ダイオード電球。
【請求項３０】
前記遮光筒体の前記外表面を被覆させると共に前記発光ダイオードモジュールに対向する反射層を更に備えることを特徴とする、請求項２９に記載の遮光構造を有する発光ダイオード電球。
【請求項３１】
前記遮光構造は前記中空チェンバーを提供する遮光筒体及び中空部と定義される遮蔽部を有する光遮断部材を備え、前記光遮断部材は前記遮光筒体中に設置されると共に前記検知装置は前記中空部に納置され、前記遮蔽部の第１端は突出されるか前記遮光筒体の第１端に水平になり前記遮光構造の前記第１端となり、前記集光レンズは前記遮光筒体の前記第１端の内表面或いは外表面に覆設されて前記第１遮光手段を構成させ、前記遮光筒体の前記第２端は前記中間ケ−スに係合されて前記第２遮光手段を構成させ、前記検知装置は前記遮光筒体の前記第１端に隣接され、前記発光ダイオードモジュールは前記遮光筒体の前記第２端に隣接されることを特徴とする、請求項２８に記載の遮光構造を有する発光ダイオード電球。
【請求項３２】
前記集光レンズの嵌合部は前記光遮断部材の前記遮蔽部と前記遮光筒体の前記内表面との間に介在するか、
前記嵌合部は前記光遮断部材の前記遮蔽部と前記遮光筒体とが組成させる前記外表面に覆設されるか、
前記嵌合部は前記遮光筒体が提供する前記外表面に覆設されることを特徴とする、請求項３１に記載の遮光構造を有する発光ダイオード電球。
【請求項３３】
前記発光ダイオードモジュールは複数の発光ダイオードを設置させる回路基板を備え、前記回路基板は前記遮光構造を包囲させることを特徴とする、請求項２７に記載の遮光構造を有する発光ダイオード電球。
【請求項３４】
前記遮光構造に隣接する前記回路基板は前記遮光構造から離れる前記回路基板から突出されることを特徴とする、請求項３３に記載の遮光構造を有する発光ダイオード電球。
【請求項３５】
前記遮光構造の前記第１端には少なくとも１つのホックが設けられ、前記集光レンズは少なくとも１つの凹部溝が設けられる嵌合部を備え、前記ホックと前記凹部溝とは相互に係合されることを特徴とする、請求項２７に記載の遮光構造を有する発光ダイオード電球。
【請求項３６】
前記遮光構造の前記第２端には少なくとも１つの係止部が設けられ、前記中間ケ−スは少なくとも１つの嵌入ピンを備え、前記係止部と前記嵌入ピンとは相互に係合されることを特徴とする、請求項２７に記載の遮光構造を有する発光ダイオード電球。
【請求項３７】
前記電球ケース本体は収納孔を有する放熱装置を更に備え、前記遮光構造の前記第２端には少なくとも突出する封止辺が設けられ、前記中間ケ−スは前記収納孔に納置され、前記封止辺は前記放熱装置の前記収納孔の外縁に当接されて前記第２遮光手段の一部を構成させることを特徴とする、請求項２７に記載の遮光構造を有する発光ダイオード電球。  
【発明の詳細な説明】
【技術分野】
【０００１】
本発明は、検知機能を有する発光ダイオードに関する。
【背景技術】
【０００２】
従来から検知機能を有する発光ダイオードの技術では、発光ダイオード電球の頂部に検知装置を設置させ、発光ダイオード電球は検知装置により人体或いは環境中の光線を検知させ、人体が検知装置の検知範囲内に進入すると発光ダイオード電球が点灯する。（特許文献１、特許文献２の参照）
【先行技術文献】
【特許文献】
【０００３】
【特許文献１】中国特許出願公開第２００５２００００９９１．Ｘ号明細書
【特許文献２】中国特許出願公開第２００８１００９７９２６．１号明細書
【発明の概要】
【発明が解決しようとする課題】
【０００４】
しかしながら、前述した従来の技術では、発光ダイオード電球の点灯後、発生させた光線は照射、屈折、或いは反射した後に検知装置に受光されてしまい、検知装置が誤作動してしまうのが従来の技術の欠点であった。
【０００５】
そこで、本発明者は上記の欠点が改善可能と考え、鋭意検討を重ねた結果、合理的かつ効果的に課題を改善する本発明の提案に到った。
【０００６】
本発明は、このような従来の問題に鑑みてなされたものである。上記課題解決のため、本発明は、遮光構造を利用して検知装置と発光ダイオードとを隔離させ、検知装置に対する発光ダイオードからの干渉を回避させる遮光構造を有する発光ダイオード電球を提供することを主目的とする。
【０００７】
本発明は、遮光構造に集光レンズ、透光マスク、及び電球ケース本体構造を組み合わせ、発光ダイオードが発生させる光が検知装置の検知範囲に進入しないように隔離させる遮光構造を有する発光ダイオードを提供することを別の目的とする。
【０００８】
本発明は、覆設式或いは係合式の遮光構造に集光レンズ及び電球ケース本体構造をそれぞれ組み合わせる遮光構造を有する発光ダイオードを提供することを別の目的とする。部材の組合せを簡略化し組み立てを容易にすることで、製造コストを大幅に削減させる。
【課題を解決するための手段】
【０００９】
上述した課題を解決し、目的を達成するために、本発明に係る遮光構造は、電球ケース本体、透明マスク、発光ダイオードモジュール、及び検知装置を備える遮光構造を有する発光ダイオード電球であって、前記検知装置を納置させる遮光構造を更に含み、前記遮光構造は前記発光ダイオードモジュールが発生させる光が前記検知装置に対して干渉しないように隔離させることを特徴とする、遮光構造を有する発光ダイオード電球。
【００１０】
好ましくは、前記遮光構造中空チェンバーにより前記検知装置を納置させる遮光筒体を備え、前記検知装置は前記遮光筒体の第１端に隣接することを特徴とする。
【００１１】
好ましくは、前記遮光筒体の前記第１端は前記透明マスクまで延伸されるか、前記透明マスクの孔部を通過させて前記透明マスク上に突出されるか前記透明マスクに水平になり、前記遮光筒体の第２端は前記電球ケース本体に固定され、前記中空チェンバーについては、前記発光ダイオードモジュールが前記遮光筒体の外囲に位置されると共に前記遮光筒体の前記第２端に隣接することを特徴とする。
【００１２】
好ましくは、前記遮光構造は反射層を更に備え、前記中空チェンバーについては、前記反射層が前記遮光筒体の外表面に固定されると共に前記発光ダイオードモジュールに対向することを特徴とする。
【００１３】
好ましくは、前記遮光構造を有する発光ダイオード電球は集光レンズを更に備え、前記遮光筒体の前記第１端の外側或いは内側に覆設され、前記第１端は前記透明マスクまで延伸されるか、前記透明マスクの孔部を通過させて前記透明マスク上に突出されるか前記透明マスクに水平になり、前記遮光筒体の第２端は前記電球ケース本体に固定され、前記中空チェンバーについては、前記発光ダイオードモジュールが前記遮光筒体の外囲に位置されると共に前記遮光筒体の前記第２端に隣接することを特徴とする。
【００１４】
好ましくは、前記遮光構造は遮光筒体及び中空部と定義される遮蔽部を有する光遮断部材を備え、前記光遮断部材は前記遮光筒体に設置されると共に前記遮光筒体の第１端に隣接され、前記検知装置は前記中空部に納置され、前記遮光筒体の第２端は前記電球ケース本体に固定されることを特徴とする。
【００１５】
好ましくは、前記光遮断部材は、前記発光ダイオードモジュールが前記遮光筒体の外囲に位置されると共に前記遮光筒体の前記第２端に隣接され、前記遮蔽部は前記発光ダイオードモジュールに向け傾斜し、前記中空部の前記透明マスクに隣接する上端の幅は下端の幅よりも広いことを特徴とする。
【００１６】
好ましくは、前記遮光筒体の前記第１端は前記透明マスクまで延伸されるか、前記透明マスクの孔部を通過させて前記透明マスク上に突出されるか前記透明マスクに水平になり、前記光遮断部材については、前記発光ダイオードモジュールが前記遮光筒体の外囲に位置されると共に前記遮光筒体の前記第２端に隣接することを特徴とする。
【００１７】
好ましくは、前記遮光構造を有する発光ダイオード電球は前記遮光筒体の前記第１端に固定される集光レンズを更に備え、前記第１端は前記透明マスクまで延伸されるか、前記透明マスクの孔部を通過させて前記透明マスク上に突出されるか前記透明マスクに水平になり、前記光遮断部材は、前記発光ダイオードモジュールが前記遮光筒体の外囲に位置されると共に前記遮光筒体の前記第２端に隣接することを特徴とする。
【００１８】
好ましくは、前記検知装置は赤外線検知装置、マイクロウェーブ検知装置、及び光線検知装置の内の何れか１つないしは２つ以上を含むことを特徴とする。
【００１９】
好ましくは、前記電球ケース本体は本体放熱装置及び口金部を備え、前記発光ダイオードモジュールは前記放熱装置の第１端に設置され、前記遮光構造は前記放熱装置の前記第１端に係合されるか、前記放熱装置の中間ケ−スの第１端に収容され、前記口金部は前記放熱装置の第２端に設置されるか、前記中間ケ−スの第２端に固定されることを特徴とする。
【００２０】
好ましくは、前記発光ダイオードモジュールは複数の発光ダイオードを設置させる回路基板を備え、前記回路基板は前記遮光構造を包囲させることを特徴とする。
【００２１】
好ましくは、前記遮光構造に隣接する前記回路基板は前記遮光構造から離れる前記回路基板に突出されることを特徴とする。
【００２２】
より目的を達成するために、本発明に係る遮光構造を有する発光ダイオードは電球ケース本体、透明マスク、発光ダイオードモジュール、及び検知装置を備える遮光構造を有する発光ダイオード電球であって、前記検知装置を納置させる遮光構造を更に含み、前記検知装置は前記遮光構造の第１端に隣接され、前記発光ダイオードモジュールは前記遮光構造の第２端に隣接され、前記遮光構造は前記発光ダイオードモジュールが発生させる光が前記検知装置に対して干渉しないように隔離させることを特徴とする。
【００２３】
好ましくは、前記遮光構造は中空チェンバーにより前記検知装置の遮光筒体を納置させることを特徴とする。
【００２４】
好ましくは、前記第１端及び前記第２端は段差の関係を呈し、前記第１端は前記透明マスクまで延伸されるか、前記透明マスクの孔部を通過させて前記透明マスク上に突出されるか前記透明マスクに水平になり、前記第２端は前記電球ケース本体上に固定され、前記中空チェンバーについては、前記発光ダイオードモジュールが前記遮光筒体の外囲に位置されることを特徴とする。
【００２５】
好ましくは、前記遮光構造を有する発光ダイオード電球は反射層を更に備え、前記中空チェンバーについては、前記反射層が前記遮光筒体の外表面を被覆させると共に前記発光ダイオードモジュールに対向することを特徴とする。
【００２６】
好ましくは、前記遮光構造を有する発光ダイオード電球は前記第１端の外表面或いは内表面に覆設される集光レンズを更に備え、前記第１端は前記透明マスクまで延伸されるか、前記透明マスクの孔部を通過させて前記透明マスク上に突出されるか前記透明マスクに水平になり、前記第２端は前記電球ケース本体上に固定され、前記中空チェンバーについては、前記発光ダイオードモジュールが前記遮光筒体の外囲に位置されることを特徴とする。
【００２７】
好ましくは、前記遮光構造は遮光筒体及び中空部と定義される遮蔽部を有する光遮断部材を備え、前記光遮断部材は前記遮光筒体中に設置されると共に前記第１端に隣接され、前記検知装置は前記中空部に納置され、前記第２端は前記電球ケース本体上に固定されることを特徴とする。
【００２８】
好ましくは、前記光遮断部材は、前記発光ダイオードモジュールが前記遮光筒体の外囲に位置され、前記遮蔽部は前記発光ダイオードモジュールに向け傾斜され、前記中空部の前記透明マスクに隣接する上端の幅は下端の幅より広いことを特徴とする。
【００２９】
好ましくは、前記第１端は前記透明マスクまで延伸されるか、前記透明マスクの孔部を通過させて前記透明マスク上に突出されるか前記透明マスクに水平になり、前記光遮断部材については、前記発光ダイオードモジュールが前記遮光筒体の外囲に位置されることを特徴とする。
【００３０】
好ましくは、前記遮光構造を有する発光ダイオード電球は前記第１端の外側に固定される集光レンズを更に備え、前記第１端は前記透明マスクまで延伸されるか、前記透明マスクの孔部を通過させて前記透明マスク上に突出され、前記光遮断部材は、前記発光ダイオードモジュールが前記遮光筒体の外囲に位置されることを特徴とする。
【００３１】
好ましくは、前記検知装置は赤外線検知装置、マイクロウェーブ検知装置、及び光線検知装置の内の何れか１つないしは２つ以上を含むことを特徴とする。
【００３２】
好ましくは、前記電球ケース本体は放熱装置及び口金部を備え、前記発光ダイオードモジュールは前記放熱装置の第１端に設置され、前記遮光構造は前記放熱装置の前記第１端に係合されるか、前記放熱装置の中間ケ−スの第１端に固定され、前記口金部は前記放熱装置の第２端に設置されるか、前記中間ケ−スの第２端に固定されることを特徴とする。
【００３３】
好ましくは、前記発光ダイオードモジュールは複数の発光ダイオードを設置させる回路基板を備え、前記回路基板は前記遮光構造を包囲させることを特徴とする。
【００３４】
好ましくは、前記遮光構造に隣接する前記回路基板は前記遮光構造から離れる前記回路基板に突出されることを特徴とする。
【００３５】
さらに、目的を達成するために、本発明に係る遮光構造を有する発光ダイオードは、中間ケ−スからなり、少なくとも一部分の前記中間ケ−スはそれの第１端から露出される電球ケース本体と、前記電球ケース本体上に設置されると共に前記電球ケース本体の前記第１端に隣接される発光ダイオードモジュールと、集光レンズと、検知装置と、前記電球ケース本体上に設置され、中空チェンバーは前記検知装置を納置させる遮光構造を備え、前記遮光構造の第１端は前記集光レンズと組み合わされて第１遮光手段を構成させ、前記発光ダイオードモジュールが発生させる光がそれの前記第１端からそれに進入し前記検知装置に対し干渉しないように隔離させ、それの第２端は前記中間ケ−スと組み合わされて第２遮光手段を構成させ、前記発光ダイオードモジュールが発生させる光がそれの前記第２端からそれに進入し前記検知装置に干渉しないように隔離させる中空チェンバーを有することを特徴とする。
【００３６】
好ましくは、前記遮光構造を有する発光ダイオード電球は透明マスクを更に備え、前記電球ケース本体上に設置され、前記遮光構造の前記第１端は前記透明マスクまで延伸されるか、前記透明マスクの孔部を通過させて前記透明マスク上に突出されるか、前記透明マスクに水平になり前記第１遮光手段を提供することを特徴とする。
【００３７】
好ましくは、前記遮光構造は前記中空チェンバーを提供する遮光筒体であり、前記集光レンズは前記遮光筒体の前記第１端の内表面または外表面に覆設されるか、或いは係合されて前記第１遮光手段を構成させ、前記遮光筒体の前記第２端は前記中間ケ−スに係合されて前記第２遮光手段を構成させ、前記検知装置は前記遮光筒体の前記第１端に隣接され、前記発光ダイオードモジュールは前記遮光筒体の前記第２端に隣接されることを特徴とする。
【００３８】
好ましくは、前記遮光構造を有する発光ダイオード電球は前記遮光筒体の前記外表面を被覆させると共に前記発光ダイオードモジュールに対向する反射層を更に備えることを特徴とする。
【００３９】
好ましくは、前記遮光構造は前記中空チェンバーを提供する遮光筒体及び中空部と定義される遮蔽部を有する光遮断部材を備え、前記光遮断部材は前記遮光筒体中に設置されると共に前記検知装置は前記中空部に納置され、前記遮蔽部の第１端は突出されるか前記遮光筒体の第１端に水平になり前記遮光構造の前記第１端となり、前記集光レンズは前記遮光筒体の前記第１端の内表面或いは外表面に覆設されて前記第１遮光手段を構成させ、前記遮光筒体の前記第２端は前記中間ケ−スに係合されて前記第２遮光手段を構成させ、前記検知装置は前記遮光筒体の前記第１端に隣接され、前記発光ダイオードモジュールは前記遮光筒体の前記第２端に隣接されることを特徴とする。
【００４０】
好ましくは、前記集光レンズの嵌合部は前記光遮断部材の前記遮蔽部と前記遮光筒体の前記内表面との間に介在するか、前記嵌合部は前記光遮断部材の前記遮蔽部と前記遮光筒体とが組成させる前記外表面に覆設されるか、前記嵌合部は前記遮光筒体が提供する前記外表面に覆設されることを特徴とする。
【００４１】
好ましくは、前記発光ダイオードモジュールは複数の発光ダイオードを設置させる回路基板を備え、前記回路基板は前記遮光構造を包囲させることを特徴とする。
【００４２】
好ましくは、前記遮光構造に隣接する前記回路基板は前記遮光構造から離れる前記回路基板から突出される。
【００４３】
好ましくは、前記遮光構造の前記第１端には少なくとも１つのホックが設けられ、前記集光レンズは少なくとも１つの凹部溝が設けられる嵌合部を備え、前記ホックと前記凹部溝とは相互に係合されることを特徴とする。
【００４４】
好ましくは、前記遮光構造の前記第２端には少なくとも１つの係止部が設けられ、前記中間ケ−スは少なくとも１つの嵌入ピンを備え、前記係止部と前記嵌入ピンとは相互に係合されることを特徴とする。
【００４５】
好ましくは、前記電球ケース本体は収納孔を有する放熱装置を更に備え、前記遮光構造の前記第２端には少なくとも突出する封止辺が設けられ、前記中間ケ−スは前記収納孔に納置され、前記封止辺は前記放熱装置の前記収納孔の外縁に当接されて前記第２遮光手段の一部を構成させることを特徴とする。
【発明の効果】
【００４６】
本発明によれば、電球ケース本体については、検知装置と発光ダイオードとは異なる高さに設置され、或いは段差の関係を呈するために、検知装置が発光ダイオードから干渉されるのを回避させる。検知装置は遮光構造に納置され、発光ダイオードは遮光構造の外囲に位置され、遮光構造は発光ダイオードが発生させる光による検知装置に対する干渉を回避させる。遮光構造は集光レンズ及び電球ケース本体の中間ケ−スにそれぞれ組み合わされて遮光手段を構成させ、発光ダイオードが発生させる光が検知装置に対して干渉しないように検知装置の上端及び下端からそれぞれ隔離させる。遮光構造、集光レンズ、及び電球ケース本体の中間ケ−スは分離される部材であり、遮光構造は覆設方式或いは係合方式の構造を集光レンズ及び電球ケース本体の中間ケ−スにそれぞれ組合せ、組み立ての利便性を向上させつつ組み立てコストを削減させ、同時に発光ダイオードが発生させる光が照射、屈折、或いは反射された後に遮光構造に進入して検知装置に干渉するのを防ぐ。遮光構造本体は単一の部材でも複数の部材の組合せでもよく、異なる設計に応用可能である。遮光構造の構造を透光マスクに組合せることで、発光ダイオードが発生させる光が検知装置に対し干渉しないように隔離させる。遮光構造は傾斜を有する設計のため、発光ダイオード及び検知装置の検知範囲を隔離させる。遮光構造に設置される反射構造は、発光ダイオードの光の照射範囲を増加させる。発光ダイオードは傾斜角を有するため、発光ダイオードの光の照射範囲を増加させる。
【図面の簡単な説明】
【００４７】
【図１】本発明に係る遮光構造を有する発光ダイオードの外観の組み合わせを示す概略図である。
【図２】本発明の第１実施形態による遮光構造を有する発光ダイオードを示す一部の分解概略図である。
【図３】本発明の第１実施形態による遮光構造を有する発光ダイオードを示す一部の分解概略図である。
【図４】本発明の第１実施形態による遮光構造を有する発光ダイオードを示す組み合わせ断面の概略図である。
【図５】本発明の第２実施形態による遮光構造を有する発光ダイオードを示す組み合わせ断面の概略図である。
【図６】本発明の第３実施形態による遮光構造を有する発光ダイオードを示す組み合わせ断面の概略図である。
【図７】本発明の第４実施形態による遮光構造を有する発光ダイオードを示す一部の分解の概略図である。
【図８】本発明の第４実施形態による遮光構造を有する発光ダイオードを示す組み合わせ断面の概略図である。
【発明を実施するための形態】
【００４８】
以下に図面を参照して本発明を実施するための形態について、詳細に説明する。なお、本発明は、以下に説明する実施形態に限定されるものではない。本発明に係る以下で放熱装置と呼称されるものは、高い導熱係数を有するアルミ合金材料を例に挙げるが、これに限定するわけではなく、マグネシウムリチウム合金材料やアルミリチウム合金材料で製造してもよく、上述の材料を複数組合せて製造してもよい。高い導熱係数を有する放熱装置は発光ダイオード等の熱源から発生する熱量を迅速に外に伝導させて、発光ダイオードを備える回路基板を低温に保たせて、電球の耐用年数を延ばす。
【００４９】
本発明に係る以下で検知装置と呼称されるものは、可視光ないしは不可視光の検知装置であり、例えば受動赤外線検知装置、マイクロウェーブ検知装置、または上述の装置を任意で組合せるものである。
【００５０】
図１は本発明に係る遮光構造を有する発光ダイオードの外観の組み合わせを示す概略図である。図１の外観によれば、遮光構造を有する発光ダイオード電球は電球ケース本体１、透光マスク２、及び集光レンズ５を備え、電球ケース本体１は放熱装置６及び口金部７を含む。
【００５１】
まず、本発明の遮光構造を有する発光ダイオードの第１実施形態について説明する。
【００５２】
（第１実施形態）
本発明の第１実施形態の構成を図２から図４に示す。図２は本発明の第１実施形態による遮光構造を有する発光ダイオードの一部を示す分解概略図である。この好ましい実施形態では、遮光構造を有する発光ダイオードは遮光筒体４等の遮光構造を備え、集光レンズ５は遮光筒体４の第１端４１の内側に覆設され、遮光筒体４の第２端４２は電球ケース本体１に隣接され、遮光筒体４の構造により遮光筒体４の第１端４１を電球ケース本体１から突出させ、遮光筒体４の第１端４１と第２端４２とは段差の関係を呈する。次に、放熱装置６の第１端６１は遮光筒体４の第２端４２に隣接され、放熱装置６の第２端６２は口金部７に隣接され、遮光筒体４は放熱装置６の第１端６１に係合され、口金部７は放熱装置６の第２端６２に設置される。
【００５３】
図３は本発明の第１実施形態による遮光構造を有する発光ダイオードの一部を示す分解概略図である。図４は本発明の第１実施形態による遮光構造を有する発光ダイオードを示す組み合わせ断面の概略図である。図２、図３及び図４によれば、集光レンズ５は遮光筒体４の第１端４１の内側に覆設され、この好ましい実施形態では、集光レンズ５は凹部溝５２を設置させる嵌合部５１を有する。遮光筒体４の側壁の内側は中空チェンバー４７と定義され、側壁の内側は第１端４１に設置されるホック４６に隣接され、ホック４６と嵌合部５１の凹部溝５２とは相互に係合する。
【００５４】
遮光筒体４の第１端４１と集光レンズ５とを組合せて第１遮光手段を構成させ、発光ダイオード３１を有する回路基板３により組成される発光ダイオードモジュールが発生させる光が遮光筒体４の第１端４１から遮光筒体４中に進入し検知装置９に対し干渉しないように隔離させる。本発明に係る遮光筒体４は発光ダイオード３１が発生させる光が検知装置９に直接照射するのを有効的に防止させ、発光ダイオード３１が発生させる光が透光マスク２を経由して反射され屈折された後に検知装置９に照射されるのを有効的に防止させる。発光ダイオード３１から発射された光は検知装置９に受光されず、検知装置９が誤作動するのを回避させて、検知の精確性及び感応性を向上させる。
【００５５】
なお、集光レンズ５は遮光筒体４の第１端４１の内表面或いは外表面に覆設されるか係合されて第１遮光手段を構成させる。また、集光レンズ５は透光マスク２の曲面と組み合わされて、集光レンズ５と透光マスク２との間の弧度を平滑にさせ、外形がスリムになり、美観もよくなる。また集光レンズ５及び遮光筒体４は分離される部材であり、集光レンズ５は係合式の構造により遮光筒体４に固定され、ねじで固定させる必要はない。当然ながら、この組み立て式の設計は、検知装置９の検知性能に合わせて異なる集光レンズ５の設計や組み立てに弾力的に変更可能である。
【００５６】
また、放熱装置６の中心部には収納孔６３が開設され、中間ケ−ス８は収納孔６３内に挿設され、中間ケ−ス８の下端部（第２端８２）は放熱装置６に固設され、少なくとも一部分の中間ケ−ス８は電球ケース本体１の第１端１１から露出される。中間ケ−ス８の第１端８１には少なくとも１つの嵌入ピン８３が設置され、遮光筒体４の第２端４２には嵌入ピン８３に対応させる係止部４３が設置されて相互に係合され、遮光筒体４の第２端４２は電球ケース本体１に係合されて固定され、中間ケ−ス８の上端部に更に係合される。遮光筒体４は中間ケ−ス８に直接係合され、この係合式の構造により連結されるため本発明に係る遮光筒体４と電球ケース本体１との連結にはねじ部材が不要であり、接着剤により粘着させる必要もなく、口金部７は前記中間ケ−ス８の第２端８２に固定される。
【００５７】
さらに、遮光筒体４の第２端４２には突出される封止辺４４を更に設置させ、封止辺４４は放熱装置６の収納孔６３の外縁に当接され、封止辺４４は遮光筒体４の係止部４３の領域に対応させて中間ケ−ス８の嵌入ピン８３を貫通させる切欠き部４５を設置させる。遮光筒体４の第２端４２と中間ケ−ス８との組合せにより第２遮光手段を構成させて発光ダイオードモジュールが発生させる光が遮光筒体４の第２端４２から遮光筒体４中に進入し検知装置９に干渉しないように隔離させる。また、上述の構造はコンパクトであり材料も節約させ、遮光筒体４及び中間ケ−ス８の組み立てが更に便利且つ迅速に行える。
【００５８】
この好ましい実施形態では、放熱装置６の頂部には装設用の平面を設置させ、回路基板３は装設用の平面に貼設されると共に放熱装置６の第１端６１に覆設され、回路基板３は遮光構造４の第２端４２を包囲させ、発光ダイオード３１を有する回路基板３は遮光構造４の外囲の電球ケース本体１の円環領域に覆設され、また回路基板３は電球ケース本体１の頂部に固定される。中空チェンバー４７は、発光ダイオードモジュールの回路基板３が遮光筒体４の外囲に位置されると共に遮光筒体４の第２端４２に隣接される。本実施形態では、回路基板３、透光マスク２、検知装置９、及び遮光筒体４は放熱装置６の第１端６１（頂部）にそれぞれ設置させてもよい。
【００５９】
なお、透光マスク２、検知装置９、及び遮光筒体４は放熱装置６の頂部にそれぞれ固定される。遮光筒体４は係合式の構造により電球ケース本体１の放熱装置６の第１端に係合され、つまり放熱装置６の頂部は接着剤で粘着させる必要はなく、ねじで固定する必要もないため組み立てが簡単であり且つ製造効率も高めつつ生産コストを減らせる。検知装置９は遮光筒体４の中空チェンバー４７に納置され、検知装置９は遮光筒体４の第１端４１に隣接され、これにより遮光筒体４は遮光構造となり発光ダイオードモジュールが発生させる光が検知装置９に干渉しないように隔離させ、発光ダイオードの光が検知装置９の検知に干渉するのを防ぐ。
【００６０】
遮光筒体４の第１端４１は透光マスク２まで延伸され、或いは透光マスク２は孔部２１を設置させて、遮光筒体４の第１端４１は透光マスク２の孔部２１を貫通させて透光マスク２から突出されるか透光マスク２に水平になる。この構造により透光マスク２を経て屈折した後に遮光筒体４の第１端４１の辺縁箇所を照射させる光を妨害し、透光マスク２で屈折した後の光が検知装置９に照射されるのを防止する。
【００６１】
この好ましい実施形態では、回路基板３は環状の回路基板であり、中心部分を中空にして中間ケ−ス８を貫通させて露出させ、さらに遮光筒体４の第２端４２に組み合わせる。回路基板の中心部分が中空ではない円形回路基板を選択させてもよい。この状態では、遮光筒体の第２端及び検知装置は非透光性の接着剤により回路基板上に固定されて第２遮光手段を提供する。他の方式では、回路基板の中心部分が中空ではない円形回路基板を選択し、但し円形回路基板上には若干の凹部溝を備える。この状態では、遮光筒体の第２端は延伸される挿設部及びこれら前記凹部溝を備えてそれらに組合せ、封かん剤或いは接着剤により挿設部を凹部溝及び遮光筒体の第２端の周囲に固定させ、第２遮光手段を提供する。
【００６２】
次は、本発明の遮光構造を有する発光ダイオードの第２実施形態について説明する。
【００６３】
（第２実施形態）
図５は本発明の第２実施形態による遮光構造を有する発光ダイオードを示す組み合わせ断面の概略図である。第１実施形態と異なる点は、遮光構造は反射層１０を更に備え、遮光筒体１４の中空チェンバーについては、反射層１０が遮光筒体１４の外表面に設置されると共に発光ダイオードモジュールの回路基板１３に対向させる。回路基板１３上の発光ダイオード１３１の光は一部分が遮光筒体１４の外表面に照射された後に透光マスク１２まで反射され、その後透光マスク１２を透過させた後に外に照射される。この構造により発光ダイオード１３１の発光効率を高め、電球の照明の明度も高める。
【００６４】
次は、本発明の遮光構造を有する発光ダイオードの第３実施形態について説明する。
【００６５】
（第３実施形態）
図６は本発明の第３実施形態による遮光構造を有する発光ダイオードを示す組み合わせ断面の概略図である。図６によれば、発光ダイオードのモジュールは複数の発光ダイオード１５を設置させる回路基板１６を備え、回路基板１６は傾斜されて設置されるため回路基板１６の中心部の高さは回路基板１６の外側の辺縁の高さよりも高くなる。つまりは、遮光構造１９に隣接される回路基板１６は遮光構造１９から離れる回路基板１６から突出される。従って、第３実施形態は回路基板１６の外側の辺縁を低くすることで回路基板１６の発光ダイオード１５の光の照射範囲を変更させる。この構造は簡単であり、コストも低い上に体積も小さく済み、放熱速度も早く適用範囲も拡がる。
【００６６】
また、電球ケース本体は筒状のアルミニウム製放熱板１７を備え、アルミニウム製放熱板１７の外表面には複数の翼片が設置され、その頂部には円環形状の装設面が設置され、装設面は傾斜して設置されるため装設面の内側（遮光構造１９に隣接する位置）の辺縁の高さは装設面の外側（遮光構造１９から離れる位置）の辺縁の高さよりも高い。円環形状の回路基板１６はアルミニウム製放熱板１７の装設面に貼設され、回路基板１６の発光ダイオード１５は電球ケース本体の右上の方向に向け、発光ダイオード１５は傾斜されて遮光構造１９から離れる方向への光の照射範囲を増加させる。
【００６７】
放熱装置は異なる実施態様でもよく、例えば複数の部材の組合せや、単一の部材による放熱装置でもよい。そして、第３実施形態による放熱装置は筒状のアルミニウム製放熱板１７及び金属放熱板１８の組合せであり、金属放熱板１８はアルミニウム製放熱板１７の頂部に固定され、金属放熱板１８は傾斜される円環形状の装設面を提供し、回路基板１６の発光ダイオード１５を電球ケース本体の右上の方向に向け光の照射範囲を増加させる。
【００６８】
なお、口金部３６はアルミニウム製放熱板１７の底部に固定され、アルミニウム製放熱板１７の中間部には孔部を開設させ、回路基板１６は孔部内に設置され、検知装置３７はアルミニウム製放熱板１７の頂部に係合されると共に孔部の上方に位置される。
【００６９】
次は、本発明の遮光構造を有する発光ダイオードの第４実施形態について説明する。
【００７０】
（第４実施形態）
図７は本発明の第４実施形態による遮光構造を有する発光ダイオードを示す一部の分解の概略図である。図７によれば、第４実施形態の遮光構造は遮光筒体２２及び中空部２３１と定義される遮蔽部２３２を有する光遮断部材２３を備え、光遮断部材２３は遮光筒体２２に設置されると共に遮光筒体２２の第１端２２１に隣接され、検知装置２４は中空部２３１中に納置されると共に中空部２３１の底部に納置され、遮光筒体２２の第２端２２２は電球ケース本体２５に固定される。
【００７１】
図８は本発明の第４実施形態による遮光構造を有する発光ダイオードを示す組み合わせ断面の概略図である。図７と図８によれば、遮光筒体２２の第１端２２１は上に向け透光マスク２６まで延伸され、検知装置２４及び光遮断部材２３は遮光筒体２２の中空チェンバー内に設置される。第４実施形態によると、光遮断部材２３の遮蔽部２３２は中空部２３１の四方に位置され、検知装置２４は光遮断部材２３の中心部に納置されると共に遮蔽部２３２により包囲され、光遮断部材２３は遮光筒体２２の中上端に覆設され、遮蔽部２３２の上端（第１端）は遮光筒体２２の第１端２２１の辺縁より高いか、低いか、或いは同じである。
【００７２】
中空部２３１は光遮断部材２３の中心部に位置されると共に円形面２３４を有し、中空部２３１の上端（第１端）の幅は下端（第２端）の幅より広く、中空部２３１の幅は上端から下端にかけて徐々に縮小してゆく。横方向の断面を見た場合、円形面２３４の内辺縁線及び垂直線の挟角は透光マスク２６を経由し遮光筒体２２内まで屈折された光と垂直線の挟角よりも大きい。透光マスク２６により遮光筒体２２内まで屈折された光は全て光遮断部材２３の外表面に照射され、光遮断部材２３内には照射されず、発光ダイオード２７が検知装置２４に干渉させるのを防ぎ、検知装置２４の感応性及び動作の精確性を高め、検知装置２４の誤作動を回避させる。
【００７３】
本実施形態は遮光筒体２２及び光遮断部材２３の内の何れか１つを集光レンズ２８と組み合わせて第１遮光手段を構成させ、第１遮光手段により発光ダイオード２７が発射させるか、或いは屈折した光が遮光筒体２２の第１端２２１から光遮断部材２３内へ進入し検知装置２４に干渉しないように隔離させ、集光レンズ２８の嵌合部２８１は遮光筒体２２の内表面或いは外表面に覆設される。更に説明すると、集光レンズ２８の嵌合部２８１は光遮断部材２３の遮蔽部２３２及び接近遮光筒体２２の第１端２２１の内表面に介在する。
【００７４】
また、光遮断部材２３の遮蔽部２３２が遮光筒体２２の第１端２２１より高ければ、集光レンズ２８の嵌合部２８１は光遮断部材２３の遮蔽部２３２と遮光筒体２２とが組成させる外表面に覆設される。そして、遮光筒体２２の第１端２２１が光遮断部材２３の遮蔽部２３２より高いか等しい場合、集光レンズ２８の嵌合部２８１は遮光筒体２２が提供する外表面に覆設される。説明が必要なのは、第１実施形態の集光レンズ５及び遮光筒体２２の覆設方式のような集光レンズ２８の覆設方式、或いは係合方式、または互いに緊迫される方式も全て可能である点である。
【００７５】
また、遮光筒体２２の第１端２２１は上に向け透光マスク２６の孔部２６１に挿入され、遮光筒体２２の第１端２２１或いは光遮断部材２３の遮蔽部２３２の上端辺縁及び透光マスク２６の孔部２６１の上端辺縁は水平になる。遮光筒体２２の第１端２２１は透光マスク２６を経て屈折した後に遮光筒体２２の第１端２２１の辺縁箇所を照射させる光が光遮断部材２３内の検知装置２４に照射しないように妨害する。以上から理解できるように、遮光筒体２２の第１端２２１或いは光遮断部材２３の遮蔽部２３２の上端辺縁が透光マスク２６の孔部２６１の上端辺縁から突出されるか、前記上端辺縁よりも高い場合、透光マスク２６を経て屈折した後に遮光筒体２２の第１端２２１の辺縁箇所を照射させる光が光遮断部材２３内の検知装置２４を照射させないように妨害する。
【００７６】
当然ながら、第４実施形態による発光ダイオード２７が設置される回路基板２９は遮光筒体２２を包囲させ、また、図６の第３実施形態による回路基板１６ように、遮光筒体２２に隣接する回路基板２９が遮光筒体２２から離れる回路基板２９から突出される。
【００７７】
上述の説明によれば、本発明の遮光構造を有する発光ダイオードの利点を以下に示す。
【００７８】
（１）電球ケース本体は、検知装置と発光ダイオードとは異なる高さに設置されるため、或いは段差の関係を呈するため、検知装置が発光ダイオードから干渉を受けるのを回避させる。
【００７９】
（２）検知装置は遮光構造に納置され、発光ダイオードは遮光構造の外囲に位置され、遮光構造は発光ダイオードが発生させる光が検知装置に干渉しないように隔離させる。
【００８０】
（３）遮光構造は集光レンズ及び電球ケース本体の中間ケ−スにそれぞれ組み合わされて遮光手段を構成させ、検知装置の上端及び下端からそれぞれ発光ダイオードが発生させる光が検知装置に干渉しないように隔離させる。
【００８１】
（４）遮光構造、集光レンズ、及び電球ケース本体の中間ケ−スは分離される部材であり、遮光構造はそれぞれ覆設式或いは係合式の構造と集光レンズ及び電球ケース本体の中間ケ−スとを組み合わせて、組み立ての利便性を向上させた上に組み立てコストも削減させ、発光ダイオードが発生させる光が照射、屈折、或いは反射後に遮光構造中に進入し検知装置に干渉しないようにする。
【００８２】
（５）遮光構造本体は単一の部材或いは複数の部材の組合せでもよく、異なる設計に応用可能である。
【００８３】
（６）遮光構造の構造を透光マスクに組合せ、発光ダイオードが発生させる光が検知装置に干渉しないように隔離させる。
【００８４】
（７）遮光構造は傾斜するよう設計されるため、発光ダイオード及び検知装置の検知範囲を隔離させる。
【００８５】
（８）遮光構造が設置される反射構造は、発光ダイオードの光の照射範囲を更に増加させる。
【００８６】
（９）発光ダイオードは傾斜角を有するため、発光ダイオードの光の照射範囲を増加させる。
【００８７】
以上、本発明の実施形態について図面を参照して詳述したが、具体的な構成はこの実施形態に限られるものではなく、本発明の要旨を逸脱しない範囲の設計変更等も含まれる。
【図１】
2014517486.tif 000003
【図２】
2014517486.tif 000004
【図３】
2014517486.tif 000005
【図４】
2014517486.tif 000006
【図５】
2014517486.tif 000007
【図６】
2014517486.tif 000008
【図７】
2014517486.tif 000009
【図８】
2014517486.tif 000010
【国際調査報告】
2014517486.tif 000011
2014517486.tif 000012
2014517486.tif 000013
2014517486.tif 000014
2014517486.tif 000015
2014517486.tif 000016
2014517486.tif 000017
2014517486.tif 000018